(57)【要約】【課題】表紙の印刷用紙の表と裏の異なる印刷面に対して連続した画像を表す画像データを容易に割り当てることができようにする。【解決手段】表紙の画像データを取得する画像データ取得部２０と、表紙の表印刷面を構成する表表紙面および裏表紙面と、表紙の裏印刷面を構成する表表紙面の裏面および裏表紙面の裏面とに対して画像データを割り当てる画像割当部２１と、画像割当部２１によって割り当てられた画像データに基づいて、表印刷面の画像データと裏印刷面の画像データとをそれぞれ１つの物理ページの画像データとして生成する物理ページ画像データ生成部２２とを備え、画像割当部２１を、少なくとも表表紙面と表表紙面の裏面とを含む印刷領域または少なくとも裏表紙面と裏表紙面の裏面とを含む印刷領域を１つの論理ページとして設定し、その論理ページに対して１枚の画像データを割り当てるものとする。【選択図】図１
2013176869.tif 000002
【特許請求の範囲】
【請求項１】
製本される印刷物の表紙に印刷される画像を表す画像データを取得する画像データ取得部と、
前記表紙の表印刷面を構成する表表紙面および裏表紙面と、前記表紙の裏印刷面を構成する前記表表紙面の裏面および前記裏表紙面の裏面とに対して前記画像データを割り当てる画像割当部と、
前記表表紙面、前記裏表紙面、前記表表紙面の裏面および前記裏表紙面の裏面に割り当てられた画像データに基づいて、前記表印刷面に印刷される画像を表す画像データと前記裏印刷面に印刷される画像を表す画像データとをそれぞれ１つの物理ページの画像データとして生成する物理ページ画像データ生成部とを備えた表紙用画像データ生成装置であって、
前記画像割当部が、少なくとも前記表表紙面と前記表表紙面の裏面とを含む印刷領域または少なくとも前記裏表紙面と前記裏表紙面の裏面とを含む印刷領域を１つの論理ページとして設定し、該設定した論理ページに対して１枚の前記画像データを割り当てるものであることを特徴とする表紙用画像データ生成装置。
【請求項２】
前記表紙の表印刷面が、背表紙面を含むものであり、
前記画像割当部が、前記背表紙面も含む前記印刷領域を１つの論理ページとして設定するものであることを特徴とする請求項１記載の表紙用画像データ生成装置。
【請求項３】
前記背表紙面の幅を取得する背表紙幅取得部を備え、
前記画像割当部が、前記背表紙幅取得部によって取得された背表紙面の幅に応じて前記論理ページの大きさを変更するものであるとともに、該論理ページの大きさの変更に応じて該論理ページに割り当てられる前記１枚の画像データに対して拡縮処理を施すものであることを特徴とする請求項２記載の表紙用画像データ生成装置。
【請求項４】
前記印刷物の本文ページのサイズを取得する本文サイズ取得部を備え、
前記画像割当部が、前記本文サイズ取得部によって取得された本文ページのサイズに応じて前記論理ページの大きさを変更するものであるとともに、該論理ページの大きさの変更に応じて該論理ページに割り当てられる前記１枚の画像データに対して拡縮処理を施すものであることを特徴とする請求項１から３いずれか１項記載の表紙用画像データ生成装置。
【請求項５】
前記画像割当部が、前記論理ページの印刷領域の上に重ねられる別のレイヤーの印刷領域を設定可能なものであるとともに、該別のレイヤーの印刷領域に前記論理ページの画像データとは別の画像データを割り当てるものであり、
前記論理ページに割り当てられる１枚の画像データに対する前記拡縮処理に応じて、前記別のレイヤーに割り当てられた画像データを移動せるものであることを特徴とする請求項３または４記載の表紙用画像データ生成装置。
【請求項６】
前記画像割当部が、前記表印刷面の側端と前記裏印刷面の側端とに見返し面を設定可能なものであるとともに、該見返し面を含む前記印刷領域を前記論理ページとして設定可能なものであり、
前記物理ページ画像データ生成部が、前記見返し面が設定された場合には、前記表印刷面および前記見返し面に印刷される画像を表す画像データと、前記裏印刷面と前記見返し面に印刷される画像を表す画像データとをそれぞれ１つの物理ページの画像データとして生成するものであることを特徴とする請求項１から５いずれか１項記載の表紙用画像データ生成装置。
【請求項７】
コンピュータを、
製本される印刷物の表紙に印刷される画像を表す画像データを取得する画像データ取得部と、
前記表紙の表印刷面を構成する表表紙面および裏表紙面と、前記表紙の裏印刷面を構成する前記表表紙面の裏面および前記裏表紙面の裏面とに対して前記画像データを割り当てる画像割当部と、
前記表表紙面、前記裏表紙面、前記表表紙面の裏面および前記裏表紙面の裏面に割り当てられた画像データに基づいて、前記表印刷面に印刷される画像を表す画像データと前記裏印刷面に印刷される画像を表す画像データとをそれぞれ１つの物理ページの画像データとして生成する物理ページ画像データ生成部として機能させる表紙用画像データ生成プログラムであって、
前記画像割当部が、少なくとも前記表表紙面と前記表表紙面の裏面とを含む印刷領域または少なくとも前記裏表紙面と前記裏表紙面の裏面とを含む印刷領域を１つの論理ページとして設定し、該設定した論理ページに対して１枚の前記画像データを割り当てるものであることを特徴とする表紙用画像データ生成プログラム。
【発明の詳細な説明】
【技術分野】
【０００１】
本発明は、製本される印刷物の表紙の表印刷面と裏印刷面とに印刷される画像データを生成する表紙用画像データ生成装置および方法並びにプログラムに関するものである。
【背景技術】
【０００２】
従来、印刷の施された印刷用紙を用いてくるみ製本や小冊子の製本などを行う製本装置を備えたプリンタシステムが種々提案されている。
【０００３】
そして、このようなプリンタシステムにおいては、製本される印刷物の表紙となる印刷用紙に対しても印刷処理が施されるが、表紙の印刷領域としては、表表紙と裏表紙とからなる表印刷面と、表表紙の裏面と裏表紙の裏面とからなる裏印刷面があり、さらに表印刷面には背表紙面が含まれる場合などあって、本文ページとは違って画像データの割り当て方が複雑である。
【０００４】
そこで、たとえば特許文献１から特許文献３などにおいて、表紙の表印刷面と裏印刷面とに印刷される画像データの割り当て方法が種々提案されている。
【０００５】
特に、特許文献１および特許文献２においては、背表紙も含む表印刷面に対して画像データを割り当てる方法が開示されており、本文ページの枚数に応じて背表紙の幅が異なることも考慮して画像データを割り当てる方法が開示されている。
【先行技術文献】
【特許文献】
【０００６】
【特許文献１】特開２００８−１１７１４８号公報
【特許文献２】特開２００６−１７２３０６号公報
【特許文献３】特開２００２−１４９６３７号公報
【発明の概要】
【発明が解決しようとする課題】
【０００７】
ここで、上述したように表紙となる印刷用紙に印刷処理を施す際、たとえば、表表紙と背表紙と裏表紙とからなる表印刷面の全体に１枚の画像を表す画像データを割り当てる場合があるが、このような場合だけでなく、たとえば表表紙と表表紙の裏面とに対して連続した画像を表す１枚の画像データを割り当てたい場合もある。
【０００８】
しかしながら、上述した特許文献１から特許文献３には、このように表紙の印刷用紙の表と裏の異なる印刷面に対して連続した画像を表す画像データを割り当てる方法については何も提案されていない。
【０００９】
本発明は、上記事情に鑑み、表紙の印刷用紙の表と裏の異なる印刷面に対して連続した画像を表す画像データを容易に割り当てることができる表紙用画像データ生成装置およびプログラムを提供することを目的とするものである。
【課題を解決するための手段】
【００１０】
本発明の表紙用画像データ生成装置は、製本される印刷物の表紙に印刷される画像を表す画像データを取得する画像データ取得部と、表紙の表印刷面を構成する表表紙面および裏表紙面と、表紙の裏印刷面を構成する表表紙面の裏面および裏表紙面の裏面とに対して画像データを割り当てる画像割当部と、表表紙面、裏表紙面、表表紙面の裏面および裏表紙面の裏面に割り当てられた画像データに基づいて、表印刷面に印刷される画像を表す画像データと裏印刷面に印刷される画像を表す画像データとをそれぞれ１つの物理ページの画像データとして生成する物理ページ画像データ生成部とを備えた表紙用画像データ生成装置であって、画像割当部が、少なくとも表表紙面と表表紙面の裏面とを含む印刷領域または少なくとも裏表紙面と裏表紙面の裏面とを含む印刷領域を１つの論理ページとして設定し、その設定した論理ページに対して１枚の画像データを割り当てるものであることを特徴とする
ここで、上記「製本される印刷物の表紙」とは、本文ページと一緒に綴じられる一番外側の用紙だけでなく、製本される印刷物に対してカバーとして設けられる用紙も含むものとする。
【００１１】
また、上記本発明の表紙用画像データ生成装置においては、表紙の表印刷面を、背表紙面を含むものとし、画像割当部を、背表紙面も含む印刷領域を１つの論理ページとして設定するものとできる。
【００１２】
また、背表紙面の幅を取得する背表紙幅取得部を設け、画像割当部を、背表紙幅取得部によって取得された背表紙面の幅に応じて論理ページの大きさを変更するものであるとともに、その論理ページの大きさの変更に応じてその論理ページに割り当てられる１枚の画像データに対して拡縮処理を施すものとできる。
【００１３】
また、製本される印刷物の本文ページのサイズを取得する本文サイズ取得部を設け、画像割当部を、本文サイズ取得部によって取得された本文ページのサイズに応じて論理ページの大きさを変更するものであるとともに、その論理ページの大きさの変更に応じてその論理ページに割り当てられる１枚の画像データに対して拡縮処理を施すものとできる。
【００１４】
また、画像割当部を、論理ページの印刷領域の上に重ねられる別のレイヤーの印刷領域を設定可能なものとするとともに、その別のレイヤーの印刷領域に論理ページの画像データとは別の画像データを割り当てるものとし、論理ページに割り当てられる１枚の画像データに対する拡縮処理に応じて、上記別のレイヤーに割り当てられた画像データを移動せるものとできる。
【００１５】
また、画像割当部を、表印刷面の側端と裏印刷面の側端とに見返し面を設定可能なものとするとともに、その見返し面を含む印刷領域を論理ページとして設定可能なものとし、物理ページ画像データ生成部を、見返し面が設定された場合には、表印刷面および見返し面に印刷される画像を表す画像データと、裏印刷面と見返し面に印刷される画像を表す画像データとをそれぞれ１つの物理ページの画像データとして生成するものとできる。
【００１６】
本発明の表紙用画像データ生成プログラムは、コンピュータを、製本される印刷物の表紙に印刷される画像を表す画像データを取得する画像データ取得部と、表紙の表印刷面を構成する表表紙面および裏表紙面と、表紙の裏印刷面を構成する表表紙面の裏面および裏表紙面の裏面とに対して画像データを割り当てる画像割当部と、表表紙面、裏表紙面、表表紙面の裏面および裏表紙面の裏面に割り当てられた画像データに基づいて、表印刷面に印刷される画像を表す画像データと裏印刷面に印刷される画像を表す画像データとをそれぞれ１つの物理ページの画像データとして生成する物理ページ画像データ生成部として機能させる表紙用画像データ生成プログラムであって、画像割当部が、少なくとも表表紙面と表表紙面の裏面とを含む印刷領域または少なくとも裏表紙面と裏表紙面の裏面とを含む印刷領域を１つの論理ページとして設定し、その設定した論理ページに対して１枚の画像データを割り当てるものであることを特徴とする。
【発明の効果】
【００１７】
本発明の表紙用画像データ生成装置およびプログラムによれば、表紙の表印刷面を構成する表表紙面および裏表紙面と、表紙の裏印刷面を構成する表表紙面の裏面および裏表紙面の裏面とに対して画像データを割り当て、表表紙面、裏表紙面、表表紙面の裏面および裏表紙面の裏面に割り当てられた画像データに基づいて、表印刷面に印刷される画像を表す画像データと裏印刷面に印刷される画像を表す画像データとをそれぞれ１つの物理ページの画像データとして生成する表紙用画像データ生成装置およびプログラムにおいて、少なくとも表表紙面と表表紙面の裏面とを含む印刷領域または少なくとも裏表紙面と裏表紙面の裏面とを含む印刷領域を１つの論理ページとして設定し、その設定した論理ページに対して１枚の画像データを割り当てるようにしたので、表紙の印刷用紙の表と裏の異なる印刷面に対して連続した画像を表す画像データを容易に割り当てることができる。
【００１８】
また、上記本発明の表紙用画像データ生成装置およびプログラムにおいて、背表紙面も含む印刷領域を１つの論理ページとして設定するようにした場合には、たとえば、背表紙面と表表紙面と表表紙面の裏面とで連続した画像を表す画像データを割り当てることができるので、印刷物のバリエーションを増やすことができる。
【００１９】
また、背表紙面の幅を取得し、その取得した背表紙面の幅に応じて論理ページの大きさを変更するとともに、その論理ページの大きさの変更に応じてその論理ページに割り当てられる１枚の画像データに対して拡縮処理を施すようにした場合には、本文ページの枚数が変更されて背表紙面の幅が変更されたとしても、その背表紙面を含む論理ページに対して１枚の画像データを適切に割り当てることができる。
【００２０】
また、製本される印刷物の本文ページのサイズを取得し、その取得した本文ページのサイズに応じて論理ページの大きさを変更するとともに、その論理ページの大きさの変更に応じてその論理ページに割り当てられる１枚の画像データに対して拡縮処理を施すようにした場合には、本文ページのサイズが変更されたとしても、そのサイズ変更後の本文ページを含む論理ページに対して１枚の画像データを適切に割り当てることができる。
【００２１】
また、論理ページの印刷領域の上に重ねられる別のレイヤーの印刷領域を設定し、その別のレイヤーの印刷領域に論理ページの画像データとは別の画像データを割り当てた場合において、論理ページに割り当てられる１枚の画像データに対して拡縮処理が施された場合には、その拡縮処理に応じて上記別のレイヤーに割り当てられた画像データを移動せるようにすれば、論理ページに割り当てられた画像データと別のレイヤーに割り当てられた画像データとの相対的な位置関係を維持することができる。また、論理ページの画像データのみに拡縮処理を施し、別のレイヤーの画像データには拡縮処理を施さないようにすることによって、たとえば別のレイヤーの画像としてロゴマークなどを設定した場合には、そのロゴマークの文字などの形状を維持することができる。
【００２２】
また、表印刷面の側端と裏印刷面の側端とに見返し面を設定可能にするとともに、その見返し面を含む印刷領域を論理ページとして設定可能とした場合には、見返し面も含めて連続した画像の画像データを割り当てることができので、さらにバリエーションに富んだ表紙を作成することができる。
【図面の簡単な説明】
【００２３】
【図１】本発明の表紙用画像データ生成装置の一実施形態を用いたプリンタシステムの概略構成を示すブロック図
【図２】くるみ製本された印刷物の一例を示す図
【図３】論理ページを設定するための画像割当画面の一例を示す図
【図４】本発明の表紙用画像データ生成装置の一実施形態を用いたプリンタシステムの作用を説明するためのフローチャート
【図５】論理ページに対して一枚の画像データを割り当てた場合の一例を示す図
【図６】「表３」と「表４」とを論理ページとして設定した例を示す図
【図７】「表３」、「表４」、「背」、「表１」および「表２」を論理ページとして設定した例を示す図
【図８】「表３」、「表１」および「表２」を論理ページとして設定した例を示す図
【図９】背表紙の幅の変更に応じて論理ページの画像データに施される拡大処理を説明するための図
【図１０】背表紙の幅の変更に応じた論理ページの画像データの移動について説明するための図
【図１１】本文ページのサイズ変更に応じて論理ページの画像データに施される拡大処理を説明するための図
【図１２】論理ページのレイヤーと別のレイヤーを設けた例を説明するための図
【図１３】３つ以上のレイヤーを設けた例を説明するための図
【図１４】表紙に見返しを付けた印刷物を示す図
【図１５】表印刷面の側端と裏印刷面の側端に見返し面を設定した例を示す図
【図１６】「背」と「表１」と「見返し（表）」とを論理ページとして設定した例を示す図
【図１７】「表１」と「見返し（表）」と「見返し（裏）」と「表２」とを論理ページとして設定した例を示す図
【図１８】背表紙の幅の変更に応じて見返しを含む論理ページに対して施される縮小処理を説明するための図
【発明を実施するための形態】
【００２４】
以下、図面を参照して本発明の表紙用画像データ生成装置およびプログラムの一実施形態を用いたプリンタシステムについて詳細に説明する。図１は、本実施形態のプリンタシステム１の全体概略構成を示すブロック図である。
【００２５】
本実施形態のプリンタシステム１は、図１に示すように、コンピュータ１０と、コンピュータ１０に有線または無線ＬＡＮなどのネットワークを介して接続された印刷装置３０と、印刷装置３０において印刷処理の施された印刷用紙を用いてくるみ製本などの製本処理を行う製本装置４０とを備えている。また、コンピュータ１０には、印刷条件や出力方法や製本方法などのユーザーによる指定を受け付ける入力装置５０と、後述するくるみ製本用画像データ生成部１２からの表示制御信号に応じて画像割当画面を表示したり、プリンタドライバ１３からの表示制御信号に応じて印刷条件設定画面を表示するモニタ６０が接続されている。
【００２６】
コンピュータ１０は、中央処理装置（ＣＰＵ）および半導体メモリやハードディスクやＳＳＤ(Solid State Drive)等のストレージデバイスなどを備えている。そして、このハードディスクなどに、メモ帳やＷｏｒｄ（登録商標）などのような原稿を表す画像データを編集することができるプログラムがインストールされることによって画像データ生成部１１が構成され、くるみ製本用画像データ生成プログラム（本発明の表示用画像データ生成プログラムの一実施形態を含む）がインストールされることによってくるみ製本用画像データ生成部（本発明の表紙用画像データ生成装置の一実施形態を含む）１２が構成されている。
【００２７】
くるみ製本用画像データ生成部１２は、製本装置４０においてくるみ製本を行う際にユーザーによって起動されるものであり、くるみ製本の表紙の表印刷面と裏印刷面とに印刷される画像データをそれぞれ生成するとともに、くるみ製本内の本文ページに印刷される画像データを生成するものである。
【００２８】
ここで、図２に、くるみ製本された印刷物の一例を示す。図２においては左開きのくるみ製本の印刷物と右開きのくるみ製本の印刷物とを示している。図２に示すように、「表１」（表表紙面）、「表４」（裏表紙面）および「背」（背表紙面）の３つの印刷領域から表紙の表印刷面が構成され、「表１」の裏面の「表２」（表表紙面の裏面）および「表４」の裏面の「表３」（裏表紙面の裏面）の２つの印刷領域とのり付け部分とから表紙の裏印刷面が構成される。
【００２９】
くるみ製本用画像データ生成部１２は、より具体的には、画像データ取得部２０、画像割当部２１、物理ページ画像データ生成部２２、背表紙幅取得部２３および本文サイズ取得部２４を備えている。そして、ハードディスクにインストールされたくるみ製本用画像データ生成プログラムが中央処理装置によって実行されることによって上記各部がそれぞれ機能する。
【００３０】
以下、くるみ製本用画像データ生成部１２の各部について詳細に説明する。
【００３１】
画像データ取得部２０は、画像データ生成部１１において生成されたくるみ製本の表紙に印刷される画像データを取得するものである。具体的には、画像データ取得部２０は、くるみ製本用画像データ生成部１２によってモニタ６０に表示された画像割当画面においてユーザーによって指定された表紙および本文ページの画像データを画像データ生成部１１から取得するものである。本実施形態においては、画像データ生成部１１から画像データ取得部２０に出力される画像データの形式はＰＤＦ（Portable Document Format）データである。なお、表紙に印刷される画像データの具体的な指定方法については、後で詳述する。
【００３２】
画像割当部２１は、表紙の表印刷面を構成する上述した「表１」、「表４」および「背」と、表紙の裏印刷面を構成する上述した「表２」および「表３」とに対して、画像データ取得部２０によって取得された画像データを割り当てるものである。
【００３３】
ここで、本実施形態の画像割当部２１は、「表１」、「表４」、「背」、「表２」、「表３」などの各印刷領域にそれぞれ１枚の画像データを割り当てることも可能であるが、連続する印刷領域を１つの論理ページとして設定し、その１つの論理ページに対して１枚の画像データを割り当てることができるものである。
【００３４】
上述した連続する印刷領域とは、具体的には、図３に示すように、「表４」と「背」、「背」と「表１」、「表４」と「表３」、「表１」と「表２」、および「表２」と「表３」が連続する領域である。そして、「表１」と「表３」は連続する印刷領域ではないものとする。
【００３５】
したがって、画像割当部２１は、たとえば「背」と「表１」とを１つの論理ページとして設定することも可能であるし、「表４」と「背」と「表１」を１つの論理ページとして設定することも可能であるし、「背」と「表１」と「表２」を１つの論理ページとして設定することも可能である。また、「表３」と「表２」とを１つの論理ページとして設定することも可能である。すなわち、画像割当部２１は、１組の連続する印刷領域または複数組の連続する印刷領域を結合して１つの論理ページとして設定することが可能なものである。
【００３６】
そして、画像割当部２１においては、どの範囲を連続する印刷領域とするかについてユーザーが任意に指定可能なように構成されている。具体的には、たとえば図３に示すような表印刷面と裏印刷面とが示された画像割当画面が表示され、その画像割当画面上において、ユーザーが「表１」、「表４」、「背」、「表２」および「表３」のうちの連続する印刷領域としたい印刷領域を指定することによって１つの論理ページが設定される。ただし、上述したように、「表１」と「表３」は連続する印刷領域として指定することができないようにすればよい。
【００３７】
物理ページ画像データ生成部２２は、画像割当部２１において「表１」、「表４」、「背」、「表２」および「表３」の各印刷領域に割り当てられた画像データに基づいて、表印刷面に印刷される画像を表す画像データと裏印刷面に印刷される画像を表す画像データとをそれぞれ１つの物理ページの画像データとして生成するものである。
【００３８】
すなわち、「表４」と「背」と「表１」に割り当てられた画像データを結合して表印刷面に印刷される画像データを１つの物理ページの画像データとして生成し、「表２」および「表３」に割り当てられた画像データと「のり」の余白領域とを結合して裏印刷面に印刷される画像データを１つの物理ページの画像データとして生成するものである。
【００３９】
背表紙幅取得部２３は、くるみ製本内の本文ページの印刷枚数に基づいて、背表紙の幅を算出して取得するものである。また、本文サイズ取得部２４は、くるみ製本内の本文ページのサイズを取得するものである。なお、背表紙幅取得部２３によって取得された背表紙の幅と、本文サイズ取得部２４によって取得された本文ページのサイズの具体的な使用方法については、後で詳述する。
【００４０】
また、コンピュータ１０のハードディスクにはプリンタドライバ１３がインストールされている。プリンタドライバ１３は、印刷枚数や印刷部数などの印刷条件や面付けなどの出力方法などのユーザーによる入力を受け付けるユーザーインターフェースを有し、その印刷条件や出力方法などに応じて、たとえばＰＤＬ（Page Description Language）データのような印刷装置３０において認識可能な印刷データを生成して出力するものである。また、プリンタドライバ１３は、製本装置４０におけるくるみ製本などの製本処理の種類も受け付けるものである。
【００４１】
印刷装置３０は、コンピュータ１０のプリンタドライバ１３から出力された印刷データに基づいて印刷用紙に印刷処理を施すものであり、たとえば、孔版印刷プリンタやインクジェットプリンタやレーザープリンタなどを用いることができる。
【００４２】
製本装置４０は、印刷装置３０において印刷処理の施された印刷用紙を用いて製本処理を行うものであり、たとえばくるみ製本や小冊子の製本処理を行うものである。
【００４３】
次に、本実施形態のプリンタシステム１の作用について、図４に示すフローチャートを参照しながら説明する。なお、本実施形態のプリンタシステム１は、くるみ製本用の画像データを生成する方法に特徴を有するものであるのでその点を中心に説明する。
【００４４】
まず、ユーザーによって画像データ生成部１１が起動され、ユーザーによって文書、イラスト、写真画像などが編集され、くるみ製本の表紙に印刷される画像データと本文ページに印刷される画像データとが生成されて記憶される（Ｓ１０）。
【００４５】
次に、ユーザーによってくるみ製本用画像データ生成部１２が起動され、図３に示すような画像割当画面がモニタ６０に表示される。そして、画像割当画面上において、「表１」、「表４」、「背」、「表２」、「表３」のいずれかの印刷領域がユーザーによって指定されるとともに、その指定された印刷領域に割り当てる画像データのファイル名が選択される。なお、画像データのファイル名の選択については、たとえば画像データ生成部１１において生成された画像データのファイル名がプルダウンメニュー（図示省略）によって表示され、そのプルダウンメニュー内のファイル名を選択することによって行われる。
【００４６】
このとき、ユーザーが上述した論理ページを設定したいと思った場合には、「表１」、「表４」、「背」、「表２」、「表３」のうちの連続する複数の印刷領域が指定されて論理ページが設定される（Ｓ１２）。そして、その論理ページに割り当てる１枚の画像データのファイル名がプルダウンメニューの中から選択される。
【００４７】
また、このとき複数の本文ページを表した画面（図示省略）もモニタ６０に表示され、各本文ページに割り当てられる画像データのファイル名もユーザーによって選択される。
【００４８】
そして、上述したように論理ページの印刷領域に割り当てられる画像データの選択と、その論理ページとして設定された印刷領域を除く「表１」、「表４」、「背」、「表２」および「表３」のいずれかの印刷領域に割り当てられる画像データの選択と、各本文ページに割り当てられる画像データの選択とが終了すると、表紙の各印刷領域に割り当てられる画像データと本文ページに割り当てられる画像データとが、画像データ生成部１１から出力され、画像データ取得部２０によって取得される（Ｓ１４）。
【００４９】
そして、画像データ取得部２０によって取得された画像データは画像割当部２１に入力され、画像割当部２１は、論理ページの印刷領域に対して１枚の画像データを割り当てるとともに、その論理ページとして設定された印刷領域を除く「表１」、「表４」、「背」、「表２」および「表３」のいずれかの各印刷領域に対して１枚の画像データを割り当てる（Ｓ１６）。図５は、図３に示す「背」、「表１」および「表２」を論理ページとして設定し、この論理ページに１枚の画像データを割り当てた例を示すものである。この場合、たとえば、「表４」、「表３」にはそれぞれ１枚の画像データが割り当てられる。なお、上述したように論理ページの設定方法としてはこれに限らず、たとえば、図６に示すように、「表３」および「表４」を論理ページとして設定するようにしてもよいし、図７に示すように、「表３」、「表４」、「背」、「表１」および「表２」の全てを連続する印刷領域として論理ページを設定するようにしてもよい。また、図８に示すように、「表３」、「表２」および「表１」と「のり」の余白領域とを連続する印刷領域として論理ページを設定するようにしてもよい。
【００５０】
なお、このとき「表１」、「表４」、「背」、「表２」、「表３」のいずれかの印刷領域のサイズとその印刷領域に割り当てられた画像データとのサイズが異なる場合には、各印刷領域のサイズに合うように画像データに対して適宜拡縮処理が施され、論理ページの印刷領域のサイズとその論理ページに割り当てられた画像データとのサイズが異なる場合にも、論理ページのサイズに合うように画像データに対して適宜拡縮処理が施される。
【００５１】
次いで、モニタ６０に表示された印刷指示ボタン（図示省略）がマウスなどの入力装置５０によって押下されると、画像割当部２１において割り当てられた画像データは物理ページ画像データ生成部２２に入力され、物理ページ画像データ生成部２２は、画像割当部２１において各印刷領域に割り当てられた画像データに基づいて、表印刷面に印刷される画像を表す画像データと裏印刷面に印刷される画像を表す画像データとをそれぞれ１つの物理ページの画像データとして生成する。
【００５２】
すなわち、物理ページ画像データ生成部２２は、上述したように「表４」と「背」と「表１」に割り当てられた画像データを結合して表印刷面に印刷される画像データを１つの物理ページの画像データとして生成し、「表２」および「表３」に割り当てられた画像データと「のり」の余白領域とを結合して裏印刷面に印刷される画像データを１つの物理ページの画像データとして生成する（Ｓ１８）。
【００５３】
そして、物理ページ画像データ生成部２２において生成された表紙の画像データと、本文ページに割り当てられた画像データとがプリンタドライバ１３に入力される。このときプリンタドライバ１３によって印刷条件設定画面も表示され、その印刷条件設定画面上においてユーザーによって印刷条件や出力方法および製本処理の種類が選択される。そして、プリンタドライバ１３は、印刷条件設定画面上において選択された種々の条件と入力された画像データとに基づいて、印刷装置３０において認識可能なＰＤＬデータを生成し、そのＰＤＬデータを印刷装置３０に出力する（Ｓ２０）。
【００５４】
印刷装置３０は、入力されたＰＤＬデータに基づいて、くるみ製本の表紙の印刷用紙の表印刷面と裏印刷面とに対して印刷処理を施すとともに、本文ページの印刷用紙に対して印刷処理を施す（Ｓ２２）。
【００５５】
印刷装置３０において印刷処理の施された印刷用紙は製本装置４０に供給され、製本装置４０は、供給された印刷用紙を用いてくるみ製本を行って印刷物を作成する（Ｓ２４）。
【００５６】
上記実施形態のプリンタシステム１によれば、少なくとも表表紙面と表表紙面の裏面とを含む印刷領域または少なくとも裏表紙面と裏表紙面の裏面とを含む印刷領域を１つの論理ページとして設定し、その設定した論理ページに対して１枚の画像データを割り当てるようにしたので、表紙の印刷用紙の表と裏の異なる印刷面に対して連続した画像を表す画像データを容易に割り当てることができる。
【００５７】
なお、上記実施形態のプリンタシステム１の説明においては、背表紙の幅は一定であるものとして説明をしたが、実際にくるみ製本を行う際には、背表紙の幅は一定ではなく、本文ページの枚数が変更された場合には背表紙の幅も変更されることになる。そして、たとえば背表紙を含めて論理ページを設定した場合、背表紙の幅の変更に応じて論理ページの幅も変化することになる。したがって、本文ページの枚数の変更によって、論理ページの幅が変化し、その変化後の論理ページの幅とその論理ページに割り当てられた画像データの幅とが異なるものとなってしまう。
【００５８】
そこで、上記実施形態のプリンタシステム１においては、背表紙幅取得部２３によって変更後の背表紙の幅を取得し、画像割当部２１が、その背表紙幅取得部２３によって取得された背表紙の幅に応じて論理ページの大きさを変更するとともに、その論理ページの大きさの変更に応じて論理ページに割り当てられた１枚の画像データに対して拡縮処理を施す。
【００５９】
具体的には、図９（ａ）に示すように、たとえば「背」と「表１」と「表２」の３つの印刷領域が論理ページとして設定されている場合、図９（ｂ）に示すように「背」の幅が
大きく変更された場合には、画像割当部２１は、論理ページの幅を大きく変更するとともに、論理ページに割り当てられた画像データに対して拡大処理を施すことによって、論理ページの幅と画像データの幅とが一致するようにする。「背」の幅が、図９（ａ）から図９（ｂ）に示す幅に変更された場合には、画像割当部２１は、論理ページに割り当てられた画像データに対して、その幅方向についてＬ２／Ｌ１の拡大率で拡大処理を施すことになる。
【００６０】
また、逆に、「背」の幅が小さく変更された場合には、画像割当部２１は、論理ページの幅を小さく変更するとともに、論理ページに割り当てられた画像データに対して縮小処理を施すことによって、論理ページの幅と画像データの幅とが一致するようにする。
【００６１】
なお、上述した論理ページと画像データの拡大については、印刷用紙の大きさの範囲内で行われるものとする。そして、表紙の表印刷面と裏印刷面との大きさが印刷用紙の大きさよりも小さい場合には、製本処理の際にその余白部分は切断されるものである。
【００６２】
また、上記説明では、「背」と「表１」と「表２」の３つの印刷領域が論理ページとして設定されている場合について説明したが、たとえば、図１０（ａ）に示すように、「表１」と「表２」の２つの印刷領域を論理ページとして設定し、「背」については連続しない印刷領域として設定した場合、図１０（ｂ）に示すように「背」の幅が大きく変更された場合には、画像割当部２１は、「背」に割り当てられた画像データのみに対して拡大処理を施し、論理ページについては、その幅を維持したままにするとともに、その論理ページに割り当てられた画像データを移動させる。
【００６３】
また、逆に、「背」の幅が小さく変更された場合には、画像割当部２１は、「背」に割り当てられた画像データのみに対して縮小処理を施し、論理ページについては、その幅を維持したままにするとともに、その論理ページに割り当てられた画像データを移動させる。
【００６４】
また、上述したように「背」の幅が変更されるだけでなく、本文ページのサイズも変更されることがある。この場合も「背」の幅が変更された場合と同様に、論理ページの幅とその論理ページに割り当てられた画像データの幅とが異なるものとなってしまう問題が生じる。
【００６５】
そこで、上記実施形態のプリンタシステム１においては、本文サイズ取得部２４によって変更後の本文ページのサイズを取得し、画像割当部２１が、その本文サイズ取得部２４によって取得された本文ページのサイズに応じて論理ページの大きさを変更するとともに、その論理ページの大きさの変更に応じて論理ページに割り当てられた１枚の画像データに対して拡縮処理を施す。
【００６６】
具体的には、図１１（ａ）に示すように、たとえば「背」と「表１」と「表２」の３つの印刷領域が論理ページとして設定されている場合、図１１（ｂ）に示すように「表１」および「表２」の本文ページのサイズが大きく変更された場合には、具体的にはたとえばＢ５サイズからＡ４サイズに変更された場合には、画像割当部２１は、論理ページの大きさを大きく変更するとともに、論理ページに割り当てられた画像データに対して拡大処理を施すことによって、論理ページの幅と画像データの幅とが一致するようにする。
【００６７】
また、逆に、本文ページのサイズがＡ４サイズからＢ５サイズに小さく変更された場合には、画像割当部２１は、論理ページの大きさを小さく変更するとともに、論理ページに割り当てられた画像データに対して縮小処理を施すことによって、論理ページの幅と画像データの幅とが一致するようにする。
【００６８】
また、上記実施形態のプリンタシステム１においては、画像割当部２１が、論理ページに対して１枚の画像データを割り当てるようにしたが、さらに論理ページの印刷領域の上に別のレイヤーの印刷領域を重ねて設定できるようにし、その別のレイヤーの印刷領域に論理ページの画像データとは別の画像データを割り当てるようにしてもよい。
【００６９】
具体的には、たとえば図１２（ａ）に示すように、「背」と「表１」と「表４」の３つの印刷領域が論理ページとして設定されている場合、この論理ページの印刷領域に対してレイヤーＡの１枚の画像データを割り当てるとともに、このレイヤーＡ上にさらに別のレイヤーＢの画像データを重ねることができるようにする。
【００７０】
このように論理ページに対して複数のレイヤーの画像データを設定できるようにすることによって、たとえばレイヤーＡの画像データとして背景画像の画像データを割り当てるとともに、レイヤーＢの画像データとして「理想科学」のようなロゴマークなどの画像データを割り当てることができる。
【００７１】
また、上述したように複数のレイヤーの画像データを割り当て可能にすることによって、たとえば、上述した背表紙の幅や本文ページのサイズの変更に応じて論理ページに割り当てられた画像データに対して拡縮処理を施す場合、レイヤーＡの画像データのみに拡縮処理を施して、レイヤーＢの画像データには拡縮処理を施さないようにすることができるので、上述したようにレイヤーＢの画像データとしてロゴマークなどを割り当てた場合には、このロゴマークの文字の形状を維持することができる。
【００７２】
そして、上述したように背表紙の幅や本文ページのサイズの変更に応じて論理ページに割り当てられた画像データに対して拡縮処理を施す場合、レイヤーＢの画像データについては、その拡縮処理に応じて移動せるようにした場合には、論理ページに割り当てられたレイヤーＡの画像データに対するレイヤーＢの画像データの相対的な位置関係を維持することができる。
【００７３】
具体的には、たとえば図１２（ａ）に示すように、「背」と「表１」と「表４」の３つの印刷領域が論理ページとして設定されている場合、図１２（ｂ）に示すように背表紙の幅が大きく変更された場合には、画像割当部２１は、論理ページの大きさを大きく変更するとともに、論理ページに割り当てられたレイヤーＡの画像データに対して拡大処理を施すが、レイヤーＢの画像データ（理想科学）に対しては拡大処理を施さない。そして、レイヤーＢの画像データ（理想科学）については、図１２（ｂ）に示すように拡大処理に応じた距離、つまりＬ２−Ｌ１だけ移動させる。これにより論理ページに割り当てられたレイヤーＡの画像データに対するレイヤーＢの画像データの相対的な位置関係を維持することができ、これにより「表１」に対する「理想科学」の相対的な位置関係を維持することができる。
【００７４】
なお、上述したように画像割当部２１が、レイヤーＢの画像データを移動させる際には、論理ページ内の所定の点を原点として座標値を算出して移動させることが望ましい。具体的には、たとえば図１２（ａ）に示す論理ページの左上隅の点を原点Ｏとし、図１２（ａ）に示すレイヤーＢの画像データ（理想科学）の位置の座標値を取得し、この座標値を拡大処理の拡大率に応じて座標変換することによって、図１２（ｂ）に示すレイヤーＢの画像データ（理想科学）の位置の座標値を算出し、この算出した座標値に基づいてレイヤーＢの画像データ（理想科学）を移動させることが望ましい。なお、原点Ｏの位置としては、論理ページの左上隅の点に限らず、論理ページ内の点であればどの点でもよく、ユーザーによって任意に設定できるものとする。
【００７５】
また、上記説明では、２つのレイヤーの画像データを重ね合せる場合について説明したが、レイヤーの数は２つに限らず、３つ以上のレイヤーを重ねるようにしてもよい。具体的には、たとえば、図１３（ａ）に示すように、「背」と「表１」と「表２」の３つの印刷領域を１枚の論理ページとして設定してこの論理ページに割り当てられる画像データをレイヤー１とし、さらに「背」と「表４」の２つの印刷領域を１枚の論理ページとして設定してこの論理ページに割り当てられる画像データをレイヤー２とし、さらに「背」の印刷領域に割り当てられる画像データをレイヤー３とする。そして、図１３（ｂ）に示すように、レイヤー１〜レイヤー３を重ねるようにしてもよい。これにより「背」の印刷領域には、レイヤー１とレイヤー２とレイヤー３を重ね合せた画像を印刷することができる。
【００７６】
また、くるみ製本の印刷物としては、図２に示したようなものに限らず、図１４に示すように、表紙の両側端に対して見返しを設けたものもある。
【００７７】
そこで、上記実施形態のプリンタシステム１において、さらに、図１５に示すように、くるみ製本の表紙の表印刷面の側端と裏印刷面の側端とに見返し面を設定できるようにしてもよい。そして、画像割当部２１において、この見返し面を含めて論理ページを設定できるようにしてもよい。
【００７８】
具体的には、たとえば図１６に示すように、「背」と「表１」と「見返し（表）」の３つの印刷領域を連続する印刷領域として論理ページを設定し、この論理ページに対して１枚の画像データを割り当てるようにしてもよいし、図１７に示すように、「表１」と「表見返し（表）」と「見返し（裏）」と「表２」の４つの印刷領域を連続する印刷領域として論理ページを設定し、この論理ページに対して１枚の画像データを割り当てるようにしてもよい。
【００７９】
なお、上述したように画像割当部２１において見返し面が設定された場合には、物理ページ画像データ生成部２２は、表紙の表印刷面および見返し面（２つの「見返し（表）」）に印刷される画像を表す画像データと、表紙の裏印刷面と見返し面（２つの「見返し（裏））」に印刷される画像を表す画像データとをそれぞれ１つの物理ページの画像データとして生成して出力する。
【００８０】
ここで、上述したようにして見返し面を設定した場合、図１５に示すように、表印刷面（または裏印刷面）と見返し面とを含む印刷領域の幅と印刷用紙の幅とは同じ幅となる。したがって、たとえば、図１８（ａ）に示すように、「背」と「表１」と「見返し（表）」の３つの印刷領域を論理ページとして設定し、「背」については連続しない印刷領域として設定した場合、図１８（ｂ）に示すように「背」の幅が大きく変更された場合には、画像割当部２１は、「背」に割り当てられた画像データに対して拡大処理を施すとともに、論理ページについては、「背」の幅が大きくなった分だけ小さくし、その論理ページに割り当てられた画像データに対しては、その幅方向についてＬ６／Ｌ５の縮小率で縮小処理を施す。このとき、本文ページのサイズは変わらないので「表１」のサイズは変わらずに、「見返し（表）」の幅が狭くなることになる。
【００８１】
また、逆に、「背」の幅が小さく変更された場合には、画像割当部２１は、「背」に割り当てられた画像データに対して縮小処理を施すとともに、論理ページについては、「背」の幅が小さくなった分だけ大きくし、その論理ページに割り当てられた画像データに対して拡大処理を施す。このときも、本文ページのサイズは変わらないので「表１」のサイズは変わらずに、「見返し（表）」の幅が広くなることになる。
【００８２】
なお、上記実施形態のプリンタシステム１は、くるみ製本の表紙の表印刷面と裏印刷面とに印刷される画像データを生成するものであるが、本発明はくるみ製本の表紙に限らず、背表紙を含まないような表紙の表印刷面と裏印刷面とに印刷される画像データを生成する場合にも適用可能である。たとえば小冊子の表紙の表印刷面と裏印刷面とに印刷される画像データを生成する場合にも適用可能である。また、ここでいう表紙とは、くるみ製本された印刷物において本文ページと一緒に綴じられる一番外側の用紙だけでなく、くるみ製本される印刷物に対してカバーとして設けられる用紙も含むものとする。
【符号の説明】
【００８３】
１     プリンタシステム
１０   コンピュータ
１１   画像データ生成部
１２   製本用画像データ生成部
１３   プリンタドライバ
２０   画像データ取得部
２１   画像割当部
２２   物理ページ画像データ生成部
２３   背表紙幅取得部
２４   本文サイズ取得部
３０   印刷装置
４０   製本装置
５０   入力装置
６０   モニタ
【図１】
2013176869.tif 000003
【図２】
2013176869.tif 000004
【図３】
2013176869.tif 000005
【図４】
2013176869.tif 000006
【図５】
2013176869.tif 000007
【図６】
2013176869.tif 000008
【図７】
2013176869.tif 000009
【図８】
2013176869.tif 000010
【図９】
2013176869.tif 000011
【図１０】
2013176869.tif 000012
【図１１】
2013176869.tif 000013
【図１２】
2013176869.tif 000014
【図１３】
2013176869.tif 000015
【図１４】
2013176869.tif 000016
【図１５】
2013176869.tif 000017
【図１６】
2013176869.tif 000018
【図１７】
2013176869.tif 000019
【図１８】
2013176869.tif 000020